(57)【特許請求の範囲】
【請求項１】
肌当接面側に液透過層と、非肌当接面側に液不透過層と、該液透過層及び該液不透過層の間に介在された吸収部とを備え、実質的に縦長に形成されてなる吸収性物品において、
上記吸収部の後方部に、肌当接面側へ隆起した、上記吸収性物品の長手方向に延びる隆起部を備え、該隆起部に対応する上記吸収部の非肌当接面側には、上記吸収性物品の幅方向中央において該吸収性物品の長手方向に延びる後方溝を備えており、該後方溝は、上記吸収部の一部が厚み方向に圧縮されて形成されており、
上記液不透過層は液不透過性の裏面シートからなり、該裏面シートは、平面状に配され、且つ上記吸収部の上記後方溝に沿う溝加工が施されておらず、
上記吸収部の肌当接面側の面に、上記吸収性物品の長手方向の両側それぞれにおいて該吸収性物品の長手方向に延びる一対の表溝を備えており、
一対の上記表溝それぞれの後端が、上記吸収性物品の前後方向における上記後方溝の前端の位置より前方に位置していることを特徴とする吸収性物品。
【請求項２】
上記吸収部の上記後方部の幅方向中央部における２．５ｇ／ｃｍ2 加重下の厚みが３〜２０ｍｍであり、且つその隆起高さが２〜１５ｍｍであることを特徴とする請求項１に記載の吸収性物品。
【請求項３】
上記吸収部の上記後方部の幅方向中央部における上記後方溝の設けられていない部分の非肌当接面側への幅方向の曲げ剛性が１〜１０ｇｆ・ｃｍであり、上記吸収部の上記後方部の上記後方溝の設けられている部分における非肌当接面側への幅方向の曲げ剛性が０．２〜２ｇｆ・ｃｍであり、上記後方部の幅方向中央部の上記後方溝の設けられていない部分の上記後方溝の設けられている部分に対する幅方向の曲げ剛性の比が１．５以上であることを特徴とする請求項１又は２に記載の吸収性物品。
【発明の詳細な説明】
【０００１】
【発明の属する技術分野】
本発明は、生理用ナプキンや失禁パッド等の、人間の股間に装着され体液を吸収する吸収性物品に関し、更に詳細には、容易に製造でき、容易に装着でき、且つヨレずに良好な装着感でフィット性に優れた所定の形状となってり良好な漏れ防止性を発揮する吸収性物品に関する。
【０００２】
【従来の技術及び発明が解決しようとする課題】
一般に、肌当接面側に液透過層と、非肌当接面側に液不透過層と、該液透過層及び該液不透過層の間に介在された吸収部とを備えた吸収性物品はよく知られている。この様な吸収性物品は、生理用ナプキン、失禁用パッド、パンティーライナー等として用いられており、装着者に良好にフィットし漏れを良好に防止することが大切である。
【０００３】
そのため、従来より、吸収性物品をその後方部を肌当接面側に高く形成することによりこの後方部を装着者の臀部に良好にフィットさせて漏れを回避する技術が種々提案されている。
特開昭６１−５７４６号公報記載の技術や特開昭６４−７００５１号公報記載の技術、特開昭６１−１９１３６０号公報記載の技術では、吸収性物品の後方部を幅方向中央部が肌当接面側に凸の断面く字形に形成している。また実開昭６３−２０８１９号公報記載の技術では、吸収体を後方部において幅方向中央にいくに従い厚く形成して長手方向に沿って肌当接面側に隆起させている。
【０００４】
しかし、特開昭６１−５７４６号公報記載の技術や特開昭６４−７００５１号公報記載の技術、特開昭６１−１９１３６０号公報記載の技術では、吸収性物品を一枚ずつ熱成形等により後方部を断面く字形に形成するため、製造に多大な手間を要する問題点がある。また、後方部の非肌当接面に下着へ固定させるための粘着部を形成した場合に、粘着部どうしがくっつきやすく下着へ固定され難かったり、装着中にヨレて漏れが発生する等の問題点がある。
実開昭６３−２０８１９号公報記載の技術では、後方部の幅方向中央部が厚くなり違和感があったり、後方部の側縁部が薄くてヨレやすく漏れが発生する問題点がある。
【０００５】
従って、本発明の目的は、容易に製造でき、容易に装着でき、且つヨレずに良好な装着感でフィット性に優れた所定の形状となって良好な漏れ防止性を発揮する吸収性物品を提供することにある。
【０００６】
本発明は、肌当接面側に液透過層と、非肌当接面側に液不透過層と、該液透過層及び該液不透過層の間に介在された吸収部とを備え、実質的に縦長に形成されてなる吸収性物品において、上記吸収部の後方部に、肌当接面側へ隆起した、上記吸収性物品の長手方向に延びる隆起部を備え、該隆起部に対応する上記吸収部の非肌当接面側には、上記吸収性物品の幅方向中央において該吸収性物品の長手方向に延びる後方溝を備えており、該後方溝は、上記吸収部の一部が厚み方向に圧縮されて形成されており、上記液不透過層は液不透過性の裏面シートからなり、該裏面シートは、平面状に配され、且つ上記吸収部の上記後方溝に沿う溝加工が施されておらず、上記吸収部の肌当接面側の面に、上記吸収性物品の長手方向の両側それぞれにおいて該吸収性物品の長手方向に延びる一対の表溝を備えており、一対の上記表溝それぞれの後端が、上記吸収性物品の前後方向における上記後方溝の前端の位置より前方に位置していることを特徴とする吸収性物品を提供することにより、上記目的を達成したものである。
【０００７】
【発明の実施の形態】
以下、本発明の吸収性物品の一の実施形態について図面を参照しながら具体的に説明する。
図１は、本発明の吸収性物品の一の実施形態としての生理用ナプキンを肌当接面側から見た示す平面図であり、図２は、図１の生理用ナプキンのＩ−Ｉ断面図であり、図３は、図１の生理用ナプキンの吸収体を非肌当接面側から見た拡大平面図であり、図４は、図１の生理用ナプキンの吸収体のＫ−Ｋ断面図であり、図５は、図１の生理用ナプキンの装着状態を示す断面図である。
【０００８】
本実施形態の吸収性物品（生理用ナプキン）１は、図１又は図２に示すように、肌当接面側に液透過層Ｐと、非肌当接面側に液不透過層Ｉと、該液透過層Ｐ及び該液不透過層Ｉの間に介在された吸収部Ａとを備え、実質的に縦長に形成されている。
【０００９】
更に詳述すると、本実施形態の生理用ナプキン１では、上記液透過層Ｐは液透過性の表面シート１１により形成されており、上記液不透過層Ｉは液不透過性のシートである第１の裏面シート１２ａ及び第２の裏面シート１２ｂにより形成されており、吸収部Ａは吸収体１３により形成されている。
そして、本実施形態の生理用ナプキン１では、図２に示すように、吸収体１３の非肌当接面側の面と両側面及び肌当接面側の面の両側縁部とが第２の裏面シート１２ｂに被覆され、これら吸収体１３と第２の裏面シート１２ｂとが、表面シート１１と第２の裏面シート１２ｂの非肌当接面側に面接配置された上記第１の裏面シート１２ａとに挟持されてナプキン本体１０が形成されている。このナプキン本体１０は、両側縁部が肌当接面側から熱溶着加工が施されており、表面シート１１及び第２の裏面シート１２ｂが吸収体１３に熱溶着された熱溶着部１４，１４が形成されている。表面シート１１と吸収体１３とはナプキン本体１０の側縁部において熱溶着により固着されて熱溶着部１４，１４が形成されており、第２の裏面シート１２ｂと吸収体１３とはナプキン本体１０の側縁部においてホットメルト剤１５，１５により固着されている。
【００１０】
上記表面シート１１及び上記第１の裏面シート１２ａはナプキン本体１０の左右両側縁部から幅方向外方に延出されており、ウイング２０，２０が形成されている。
上記表面シート１１と上記第１の裏面シート１２ａとはそれぞれの周縁部において互いに固着されている。
【００１１】
上記第１の裏面シート１２ａには、ナプキン本体１０の長手方向中央部において粘着剤が塗布又はされて粘着部１６が形成されており、装着時に該粘着部１６を介して生理用ナプキン１を下着に固定するようになっている。この粘着部１６は剥離紙（図示せず）により保護されている。
【００１２】
これらの構成については、従来の生理用ナプキンと同じであり、上記表面シート１１の形成材料としては、不織布や開孔フィルム等、従来より用いられているものを特に制限なく用いることができる。上記第１の裏面シート１２ａ及び上記第２の裏面シート１２ｂの形成材料としても、防漏性のフィルム、ポリエチレンラミネート防水紙、ポリエチレンラミネート不織布等、従来より用いられているものを特に制限なく用いることができる。更に、上記熱溶着部１４，１４も従来の技術を特に制限なく用いて設けることができ、上記ホットメルト剤１５，１５も従来より用いられているものを特に制限なく用いることができる。上記粘着部１６も、従来の粘着剤を特に制限なく用い従来の技術を特に制限なく用いて設けることができる。
【００１３】
而して、本形態の生理用ナプキン１は、上記吸収体１３の後方部に、肌当接面側へ隆起した、上記生理用ナプキン１の長手方向に延びる隆起部１３ａを備えており、上記隆起部１３ａに対応する上記吸収体１３の非肌当接面側には、上記生理用ナプキン１の幅方向中央において生理用ナプキン１の長手方向に延びる後方溝１８を備えている。
【００１４】
更に詳述すると、本実施形態の生理用ナプキン１においては、上記吸収体１３の隆起部１３ａは、図１に示すように、吸収体１３の後方部に形成されており、中央部近傍から後端部近傍までは細長く且つ後方にいくに従い少しずつ太くなっている。
上記隆起部１３ａは、中央部近傍における幅Ｗ1 は５〜４０ｍｍであり、後端部における幅Ｗ2 は１０〜７０ｍｍであることが好ましい。
図１に示す生理用ナプキン１においては、該隆起部１３ａは、生理用ナプキン１を装着者のショーツにあてた時の後方部のズレも考慮し、生理用ナプキン１の後部にいく程、幅広となっているが、製造方法の容易性から、幅Ｗ1 が５〜４０ｍｍ、より好ましくは幅Ｗ1 が１０〜３０ｍｍの範囲であれば、平面視して長方形のものでも好ましく使用することができる。
【００１５】
上記吸収体１３は、２．５ｇ／ｃｍ2 加重下における隆起部１３ａの形成されている部分の厚みＴ1 が７ｍｍで、隆起部１３ａの形成されていない部分の厚みＴ2 が４ｍｍとなっており、隆起部１３ａの隆起高さ（隆起部１３ａと隆起部１３ａ以外の部分との差）Ｔ3 が３ｍｍとなっている。
隆起部１３ａの形成されている部分の２．５ｇ／ｃｍ2 加重下における厚みＴ1 は３〜１５ｍｍであることが好ましく、５〜１２ｍｍであることがより好ましい。３ｍｍ未満では臀部に好ましいフィット性を与える事が出来ず好ましくなく、１５ｍｍ超では逆に厚くなりすぎ、臀部の違和感となってしまい好ましくない。
吸収体１３の隆起部１３ａの形成されていない部分の２．５ｇ／ｃｍ2 加重下における厚みＴ2 は１〜１０ｍｍであることが好ましく、２〜７ｍｍであることがより好ましい。１ｍｍ未満では剛性が小さ過ぎて側縁部がヨレ易くなり、１０ｍｍ超では剛性が高くなりすぎたり生理用ナプキン１の厚みが厚くなりすぎたりして、装着時における違和感が大きくなる。
隆起部１３ａの２．５ｇ／ｃｍ2 加重下における隆起高さＴ3 は装着者の臀部に良好にフィットされ優れた漏れ防止性を得るには、２〜１０ｍｍであることが好ましく、２〜７ｍｍであることがより好ましい。
【００１６】
上記吸収体１３を構成する材料としては、フラッフパルプ、吸収紙、高吸収性ポリマー等の、従来より吸収体を構成する材料として公知のものを特に制限なく用いることができるが、上記吸収体１３の上記隆起部１３ａの上記後方溝１８の設けられていない部分における非肌当接面側への幅方向の曲げ剛性（長さ方向断面は直線状に保持さるような曲げ剛性）は、１〜１０ｇｆ・ｃｍ／３ｃｍであるものが好ましい。曲げ剛性が１ｇｆ・ｃｍ／３ｃｍでは、隆起部の吸収体が柔らかすぎヨレてしまい、１０ｇｆ・ｃｍ／３ｃｍを越えると剛性が上がりすぎ、違和感となってしまう。
【００１７】
尚、この曲げ剛性は、長手方向（生理用ナプキン１の長手方向）が３０ｍｍ、幅方向（生理用ナプキン１の幅方向）が７０ｍｍの試料（隆起部１３ａと同様の厚さを有し後方溝１８等を備えていない吸収体）を、カトーテック製純曲げ試験機にて１ｃｍ間隔のチャックに保持させ、試料を垂直にした状態で、曲率Ｋ＝−２．５〜＋２．５（ｃｍ-1）の範囲にて変形速度０．５０（ｃｍ-1）／秒の等速度曲率の純曲げを行って曲げモーメントＭを測定し、Ｋ＝０．５〜１．５における試料の長さ単位当たりの曲げモーメント（Ｍ）−曲率（Ｋ）曲線の傾斜である単位面積当たりの曲げ剛性（Ｂ）を求めたものである。
【００１８】
上記後方溝１８は、図１及び図４に示すように、直線状であって、生理用ナプキン１の装着時に吸収部１３の後方部の可撓軸として機能して、生理用ナプキン１の後方部の幅方向中央を逆Ｖ字形に容易に変形させ装着者の臀部に良好にフィットさせるようになっている。
【００１９】
この後方溝１８の設けられている部分における上記吸収体１３の非肌当接面側への長さ方向の曲げ剛性は０．２〜２ｇｆ・ｃｍとなっている。即ち、上記後方部の幅方向中央部の上記後方溝１８の設けられていない部分の曲げ剛性が、上記後方溝１８の設けられている部分に対する幅方向の曲げ剛性に対し、１．５倍以上であることが好ましく、２〜１０倍であることがより好ましい。この曲げ剛性の比が、１．５未満においては、可撓軸部分における積極的な屈曲がなくなるため、装着時に臀部にフィットする望ましい装着形態をとり難くなるためである。尚、可撓軸として機能する上記後方溝１８の設けられた部分における曲げ剛性は、長手方向（生理用ナプキン１の長手方向）が３０ｍｍ、幅方向（生理用ナプキン１の幅方向）が７０ｍｍの隆起部１３ａと同様の厚さを有する吸収体の非肌当接面側に後方溝１８と同様の溝加工を施したものを試料として用いた場合の、試料の長さ単位当たりの曲げモーメント（Ｍ）−曲率（Ｋ）曲線の傾斜である単位面積当たりの曲げ剛性（Ｂ）を求めたものである。
また、上記後方溝１８の深さは０．５〜１０ｍｍであるのが好ましく、１〜５ｍｍであるのがより好ましい。後方溝１８の深さが０．５ｍｍ未満では、溝部分での可撓性が得にくく、好ましいフィット性を得難く好ましくなく、１０ｍｍを超えると溝部分が高密度になりすぎ隆起部分の厚みが減少して好ましくない。
また、上記後方溝１８の深さＤ1 （図２参照）は、０．５〜１０ｍｍであり、吸収体の上記隆起部３ａの形成されている部分の厚みＴ1 に対する後方溝の深さＤ1 の比（Ｄ1 ／Ｔ1 ）が、０．０５〜０．７であることが好ましく、深さＤ1 が１〜５ｍｍであり、上記比（Ｄ1 ／Ｔ1 ）が０．１〜０．５であることがより好ましい。後方溝１８の深さＤ1 が０．５ｍｍ未満，比（Ｄ1 ／Ｔ1 ）が０．０５未満であると、後方溝部分での可撓性が得にくく、好ましいフィット性を得難くなるので好ましくなく、逆に深さＤ1 が１０ｍｍを越え、比（Ｄ1 ／Ｔ1 ）が０．７を越えると、溝部分が高密度に圧縮され、隆起部分全体の厚みが低下してしまい好ましくない。
【００２０】
上記吸収体１３の非肌当接面側には、上記第２の裏面シート１２ｂが平面状に配され、更に該第２の裏面シート１２ｂの非肌当接面側に上記第１の裏面シート１２ａが平面状に配されている。
そして、両裏面シート１２ａ，１２ｂには、上記吸収体１３の上記後方溝１８に沿う溝加工が施されていない。
【００２１】
また、本実施形態の生理用ナプキン１のナプキン本体１０は、肌当接面側から表面シート１１と吸収体１３とをともにエンボス加工することにより左右対称に形成された１対の表溝１９，１９を備えている。
この表溝１９，１９は、吸収体１３の肌当接面側の面に、上記隆起部１３ａの側縁のすぐ外側に沿い、平面視生理用ナプキン１の幅方向内側へ向けて凸型の円弧状に形成されており、上記吸収体１３がこの表溝１９，１９を可撓軸として容易に変形し易くなり、装着時に、隆起部１３ａを装着者側に凸の断面アーチ形状に変形させて該表溝１９，１９の幅方向外側はヨレることなく略水平方向に配置させ、且つ、隆起部１３ａの外側へ移行した体液を堰き止め後方へ移行させ、生理用ナプキン１の側縁部からの漏れを良好に防止するようになっている。
【００２２】
上記表溝１９，１９は、上記表溝１９，１９は、その深さＤ2 （図２参照）が０．５〜９ｍｍであり、溝の形成されていない部分の厚みＴ2 に対する比Ｄ2 ／Ｔ2 が０．３〜０．９であることが好ましく、より好ましくはＤ2 が１〜６ｍｍであり、Ｄ2 ／Ｔ2 が０．５〜０．９である。表溝１９，１９の深さが０．５ｍｍ未満では、溝部分での可撓性が得にくく、好ましいフィット性が得られなかったり、表面を流れる体液を堰き止める効果が得難く好ましくなく、９ｍｍを超えると装着者に違和感を与え好ましくない。
【００２３】
以下、後方溝１８、及び表溝１９，１９の好ましい溝構造について記載する。尚、ここでは後方溝１８の好ましい構造について詳述するが、表溝１９，１９についても特に記載のない限り同様である。
上記後方溝１８は、図３及び図４に示すように、菱形形状の小溝１８ａを複数個非連続的に形成させる溝加工を肌当接面側から所定形状に沿って施し、小溝１８ａ及び小溝１８ａ間を連続的に肌当接面側の面よりも窪ませた２段階の深さに形成されている。このように、小溝１８ａ及び小溝１８ａ間を連続的に肌当接面側の面よりも窪ませ２段階の深さに形成することにより、後方溝１８の深さを深く形成しつつ可撓性を高く保持し良好なフィット性を得ることが可能となる。上記小溝１８ａの大きさは、１〜１００ｍｍ2 とするのが好ましい。１ｍｍ2 より小さいと圧縮面積が小さすぎ好ましい可撓性を得られず、逆に１００ｍｍ2 を超えても好ましい可撓性が得られなくなる。また、各小溝１８ａのピッチは、０．５〜５ｍｍとするのが好ましい。０．５ｍｍ未満であると、好ましい可撓性及び肌当たり性が得られず、５ｍｍを超えると小溝１８ａ間に窪まない部分が生じて、幅方向のみならず、長手方向に変に屈曲しスムーズにフィットしなくなる。また表溝１９においては漏れ防止効果が小さくなる。
【００２４】
尚、後方溝１８及び表溝１９，１９を、このように小溝１８ａ及び小溝１８ａ間を連続的に肌当接面側の面よりも窪ませ２段階の深さに形成することにより設けた場合、それらの深さは小溝１８ａにおける深さである。
【００２５】
本実施形態の生理用ナプキン１は、図５に示すように、通常の生理用ナプキンと同様に中央部を股間に配置し、粘着部１６を下着Ｗに粘着させてて装着する。そしてこの様に装着された本実施形態の生理用ナプキン１は、吸収体１３が表溝１９，１９を可撓軸として容易に変形し易くなっており、中央部に側方から幅方向の力が加えられると表溝１９，１９間がアーチ状に隆起して装着者の股間に良好に当接される。
また、吸収体１３の隆起部１３ａが後方溝１８を可撓軸として容易に変形し易くなっており、装着時に、図５に示すように、後方溝１８において屈曲して断面逆Ｖ字状に肌当接面側になだらかに隆起し、装着者の臀部に良好に当接する。従って、体液が体を伝わって吸収性物品１の外へ漏れ出ることがない。
この装着時における生理用ナプキン１の形状は、後方溝１８及び表溝１９，１９により誘導形成されているので、いかなる装着状態にもかかわらず良好に維持される。
【００２６】
この様に、本実施形態の生理用ナプキン１によると、吸収体１３の後方部に隆起部１３ａが備えられ、且つこの隆起部１３ａが後方溝１８によって曲げ剛性を低く保持されているので、装着時に隆起部１３ａが肌当接面側に凸の断面逆Ｖ字状に屈曲して装着者の臀部に良好に当接し、良好なフィット性が発揮されて漏れが防止される。
また、本実施形態の生理用ナプキン１によると、表溝１９，１９によって吸収体１３がこの表溝１９，１９を可撓軸として容易に変形し易くなり、装着時に、側縁部がヨレることなく、表溝１９，１９間がアーチ状に隆起して装着者の股間に良好に当接され、また、幅方向に移行する体液が堰き止められ後方へ移行されるので、生理用ナプキン１の側縁部からの漏れが良好に防止される。
本実施形態の生理用ナプキン１によると、裏面シート１２ａ，１２ｂが、平面状に配され且つ吸収体１３の上記後方溝１８に沿う溝加工が施されていないので、両裏面シート１２ａ，１２ｂが容易には屈曲せず、ショーツにしっかりと固定することができ、また、装着操作時や装着中に粘着部１６同士が接着してヨレてしまうこともない。これにより、良好なフィット性が得られると共に、漏れが良好に回避される。
【００２７】
上記の本形態の生理用ナプキン１は、厚さ７ｍｍで坪量が３００ｇ／ｍ2 の吸収体１３の連続体にエンボスロール等により圧縮（必要により加熱圧縮）加工を施して隆起部１３ａと後方溝１８を形成し、この後、第２の裏面シート１２ｂの連続帯を非肌当接面側から被覆し、表面シート１１の連続帯で肌当接面側を被覆するとともに該表面シート１１の連続帯側から表溝１９，１９を形成し、第１の裏面シート１２ａの連続体で非肌当接面側を被覆し、周縁を固着するとともに所定形状に切断する等して容易に製造することができる。
【００２８】
尚、本発明の吸収性物品は、上述の形態には何ら制限されず、本発明の趣旨を逸脱しない範囲で種々変更が可能である。
例えば、上記隆起部１３ａの形状は上述の形状の他、両側縁が直線状の、後方にいくに従い幅広となる逆Ｖ字形等とすることもできる。
また、後方溝１８及び表溝１９，１９は、いずれも上記実施形態のように前端から後端まで連続したものに限られるものではなく、長手方向の複数箇所において非連続に形成されたものとすることもできる。
更に、後方溝１８及び表溝１９，１９は、いずれも、上述のような小溝１８ａを連結したものではなく、連続して溝加工を施したものとすることもできる。また、上述の実施形態のように長手方向において分割された非連続複数の小溝１８ａにより形成した場合に、小溝１８ａの形状等は特に限定されない。
【００２９】
隆起部１３ａは、上述のように均一の厚みの吸収体１３にエンボス加工を施して形成したものの他、図６に示すように均一の厚さの吸収体１３ｂ’の一部に他の吸収体１３ａ’を重ねることにより隆起部を形成したものとしたり、はじめから、隆起部１３ａを有する形状に成形したものとすることもできる。
尚、図６に示すように吸収体１３ｂ’に他の吸収体１３ａ’を重ねて隆起部を形成した場合には、上記後方溝１８を同図に示されるように隆起部に対応する上記吸収体１３ｂ’の非肌当接面側の面に形成しても良いが、図７に示すように、上記吸収体１３ａ’の非肌当接面側の面に形成しても良い。この態様も、本発明の一実施形態である。
また、第２の裏面シート１２ｂは上記後方溝１８に沿って配置し、第１の裏面シート１２ａのみを平面状に配置しても同様の効果を得ることができる。
吸収性物品は、生理用ナプキンの外、失禁者用パッド、おりものシート等とすることもできる。
【００３０】
【発明の効果】
以上説明した様に、請求項１乃至請求項３に記載の吸収性物品によると、隆起部が後方溝によって曲げ剛性を低く保持されているので、装着時に隆起部が肌当接面側に凸の断面逆Ｖ字状に屈曲して装着者の臀部に良好に当接し、良好なフィット性が発揮されて漏れが防止される。
【００３１】
また、裏面シートは平面状に配されているので、装着操作時や装着中に粘着部どうしでくっつくことがなく、容易に装着でき、且つヨレ難く良好なフィット性が発揮されて漏れが良好に回避される。
【００３２】
更に、吸収体表溝を可撓軸として容易に変形し易くなっているので、側縁部がヨレることなく、表溝間がアーチ状に隆起して装着者の股間に良好に当接され、且つ、幅方向に移行する体液が堰き止められて後方へ移行されるので、吸収性物品の側縁部からの漏れが良好に防止される。
【図面の簡単な説明】
【図１】本発明の吸収性物品の一の実施形態としての生理用ナプキンを肌当接面側から見た示す平面図である。
【図２】図１の生理用ナプキンのＩ−Ｉ断面図である。
【図３】図１の生理用ナプキンの吸収体を非肌当接面側から見た拡大平面図である。
【図４】図１の生理用ナプキンの吸収体のＫ−Ｋ断面図である。
【図５】図１の生理用ナプキンの装着状態を示す断面図である。
【図６】本発明の吸収性物品の他の実施形態における吸収体を示す断面図である。
【図７】本発明の吸収性物品の更に他の実施形態における吸収体を示す断面図である。
【符号の説明】
１    生理用ナプキン（吸収性物品）
１０    ナプキン本体
１１    表面シート
１２    裏面シート
１３    吸収体（吸収部）
１３ａ  隆起部
１４    熱溶着部
１５    ホットメルト剤
１６    粘着部
１７    裏溝
１８    後方溝
１９    表溝
２０    ウイング
Ｐ    液透過層
Ｉ    液不透過層
Ａ    吸収部
【図１】
0003850103.tif 000002
【図２】
0003850103.tif 000003
【図３】
0003850103.tif 000004
【図４】
0003850103.tif 000005
【図５】
0003850103.tif 000006
【図６】
0003850103.tif 000007
【図７】
0003850103.tif 000008